(57)【特許請求の範囲】
【請求項１】
バルブのステムが挿入される押しボタン構造を備えたエアゾール容器に原液と噴射剤とが充填されるエアゾール製品であって、
前記押しボタン構造が、
押しボタン構造体と、
該押しボタン構造体の内部に設けられた下部通路と、
該下部通路と連通する上部通路と、
該下部通路および上部通路のいずれかに圧縮ばねを介して挿入されたプランジャ
とを備えており、
前記エアゾール容器からの噴射量が０．０５ｇ／秒未満である
ことを特徴とするエアゾール製品。
【請求項２】
前記エアゾール製品の適性使用距離が１〜１０ｃｍであることを特徴とする請求項１記載のエアゾール製品。
【請求項３】
前記エアゾール製品の原液が水系、Ｃ１〜３のアルコール系または当該水系とアルコール系の混合物からなり、噴射剤が窒素、炭酸ガス、空気などの圧縮ガス、液化石油ガス、ジメチルエーテル、ハイドロフルオロカーボンなどのフロン類またはこれらの混合物であることを特徴とする請求項２記載のエアゾール製品。
【請求項４】
前記原液／噴射剤（重量％）が６０／４０〜２０／８０である請求項３記載のエアゾール製品。
【請求項５】
前記噴射量が０．０２ｇ／秒以上、０．０５ｇ／秒未満である請求項１記載のエアゾール製品。
【請求項６】
前記プランジャが下部通路および上部通路の両方に挿入されてなる請求項１記載のエアゾール製品。
【発明の詳細な説明】
【０００１】
【発明の属する技術分野】
本発明はエアゾール製品に関する。さらに詳しくは、エアゾール容器からの噴射量が０．０５ｇ／秒未満であるエアゾール製品に関する。
【０００２】
【従来の技術および発明が解決しようとする課題】
エアゾール製品の吸い上げ量を抑制し、エアゾール容器の外への噴出量を抑制しうる構造を有するものとして、バルブのステム孔やハウジングの下穴を小さくしたり、ハウジング６０の下部に備わっているチューブ９０の中にチューブ内径よりも細い吸い上げ管８０を設けた方法（特開昭５２−７４９１０号公報）がある（図７参照）。
【０００３】
かかる従来の装置のばあい、加工精度に限度があり、最小噴出量はせいぜい０．１ｇ／秒である。このため、制汗剤や、鎮痛剤のエアゾールのための噴霧装置として用いると、顔や皮膚にかかりすぎるという問題がある。
【０００４】
また、霧状の微量噴射製品（粘膜付近で使用する製品）に用いる装置として指押しポンプ式の装置がある。この装置のばあいも噴射量は０．１〜０．３ｇ／回と多く、また連続した使用には不向きである。
【０００５】
かかる従来の装置では噴射量が多すぎ、冷え過ぎや飛び散りが問題となり、粘膜付近で使用するには不適切であった。ムース製品や育毛剤、噴射後でも粘性のある製品を除く従来品（霧状製品）の適切使用距離は１５〜２０ｃｍ程度で、これより近くすると冷感が強すぎ、また遠くすると飛び散りが多く付着量が少なくなるという問題がある。
【０００６】
本発明の目的は、叙上の従来のエアゾール製品の欠点を解消し、連続使用が可能で、使用距離が短く、装置自体を小型化しうるエアゾール製品を提供することである。
【０００７】
【課題を解決するための手段】
前記目的を達成するために、本発明のエアゾール製品は、バルブのステムが挿入される押しボタン構造を備えたエアゾール容器に原液と噴射剤とが充填されるエアゾール製品であって、
前記押しボタン構造が、
押しボタン構造体と、
該押しボタン構造体の内部に設けられた下部通路と、
該下部通路と連通する上部通路と、
該下部通路および上部通路のいずれかに圧縮ばねを介して挿入されたプランジャ
とを備えており、
前記エアゾール容器からの噴射量が０．０５ｇ／秒未満である
ことを特徴としている。
【０００８】
また、前記エアゾール製品の適性使用距離が１〜１０ｃｍ、好ましくは１〜５ｃｍである。
【０００９】
また、前記エアゾール製品の原液が水系、Ｃ１〜３のアルコール系または当該水系とアルコール系の混合物からなり、噴射剤が窒素、炭酸ガス、空気などの圧縮ガス、液化石油ガス、ジメチルエーテル、ハイドロフルオロカーボンなどのフロン類またはこれらの混合物であることが好ましい。
【００１０】
【発明の実施の形態】
本発明の実施の形態に係るエアゾール製品（以下、単に「製品」という）について以下に詳細に説明する。
【００１１】
図１は本発明の製品に用いるエアゾール装置の押しボタン部の構造の一例を示す説明図である。
【００１２】
図２は図１の押しボタン構造の要部拡大図である。
【００１３】
本発明のエアゾール製品の原液は水系、Ｃ１〜３のアルコール系またはこれらの混合物から構成され、噴射剤は窒素、炭酸ガス、空気などの圧縮ガス、液化石油ガス、ジメチルエーテル、ハイドロフルオロカーボンなどのフロン類またはこれらの混合物から構成される。圧縮ガスのばあい、皮膚における冷感の心配がないので、とくに好ましい。
【００１４】
本発明のエアゾール製品としては、スキンローション、プレシェーブローション、アフターシェーブローション、クレンジング、アストリンゼン、アクネ用ローションなどの化粧料、スプレータイプおよびフォームタイプの整髪料ならびにポイントセット用の整髪料、忌避剤、殺虫剤、リンクルケアなどの医薬部外品、水虫薬、殺菌剤、皮膚疾患剤、消炎鎮痛剤などの医薬品、潤滑剤などの工業用品、洗浄剤などの家庭用品などが適用できる。
【００１５】
本発明の製品に用いるエアゾール装置の押しボタン構造１０は、図１に示されるように、押しボタン構造体１０ａと、該押しボタン構造体１０ａの内部に設けられた下部通路１１と、下部通路１１と連通する上部通路１２と、該上部通路１２に設けられたノズル２０と、前記下部通路１１および（または）上部通路１２のいずれかに圧縮ばね３２を介して挿入されたプランジャ３１から構成されている。
【００１６】
図１に示された実施の形態のばあい、下部通路１１の下側に径大部が形成されており、この径大部に、たとえば図７に示されるバルブ７０のステム７０ａが挿入される。
【００１７】
かかる構成を有する本実施の形態にかかわる押しボタン構造体１０のばあい、プランジャ３１と下部通路１１および（または）上部通路１２の内面とのあいだの隙間Ｃ2から圧縮ばね３２の部分を除いた螺旋状の空間がエアゾールの実質的な通路として機能する（図２参照）。なお、プランジャ３１は、下部通路１１または上部通路１２のいずれかに挿入することもでき、また両方に挿入することもできる。
【００１８】
本発明のエアゾール製品を２５℃に保った恒温水槽に浸漬しておき、これをピンポン玉に距離５ｃｍ、垂直上方から噴射し、ピンポン玉に付着した量を測定した。なお、付着率はつぎの式で算出した。
【００１９】
【数１】
0003805461.tif 000002
【００２０】
この付着率の測定に用いたエアゾール９サンプルは、表１のとおりであった。
【００２１】
【表１】
0003805461.tif 000003
【００２２】
噴射量（ｇ／秒）は表２に示すとおりであった。
【００２３】
【表２】
0003805461.tif 000004
【００２４】
なお、この付着率の測定に用いたエアゾール容器の材質は、アルミニウムであり、直径は４０ｍｍであり、高土は１１８ｍｍであった。
【００２５】
測定結果を表３〜６および図３〜６に示す。
【００２６】
【表３】
0003805461.tif 000005
【００２７】
【表４】
0003805461.tif 000006
【００２８】
【表５】
0003805461.tif 000007
【００２９】
【表６】
0003805461.tif 000008
【００３０】
本発明のエアゾール製品における冷感、違和感および使用感について評価した（表７参照）。
【００３１】
表７から、本発明のエアゾール製品のばあい、至近距離での使用が可能であることが判明した。
【００３２】
また、皮膚への有効な付着が多い（たとえば、噴射量（０．５ｇ／ｓｅｃ．）エアゾール製品を１秒間、１回噴射するよりも、噴射量（０．０５ｇ／ｓｅｃ．）エアゾール製品を２秒間、５回噴射した方が付着率は高い）こと、および飛び散りが少ないため、粘膜付近（弱い部分）で使用できることが判明した。
【００３３】
【表７】
0003805461.tif 000009
【００３４】
【発明の効果】
本発明の製品をたとえば叙上のエアゾール装置を用いて噴射したばあい、噴射量は０．０５ｇ／秒未満であり、噴射距離は１〜１０ｃｍである。なお、好ましくは、噴射距離は１〜５ｃｍである。このように噴射距離が短いので製品の粒子が広範囲に飛び散らない。それゆえ、目、鼻、口、耳、臀部などの粘膜付近で使用することができ、かつ付着量が多いという利点がある。
【図面の簡単な説明】
【図１】本発明の製品に用いるエアゾール装置の押しボタン構造の一例を示す説明図である。
【図２】図１の押しボタン構造の部分拡大図である。
【図３】本発明のエアゾール製品および従来のエアゾール製品の有効付着率についての測定結果を示すグラフである。
【図４】本発明のエアゾール製品および従来のエアゾール製品の有効付着率についての測定結果を示すグラフである。
【図５】本発明のエアゾール製品および従来のエアゾール製品の有効付着率についての測定結果を示すグラフである。
【図６】本発明のエアゾール製品および従来のエアゾール製品の有効付着率についての測定結果を示すグラフである。
【図７】従来のエアゾール装置の一例を示す断面説明図である。
【符号の説明】
１０  押しボタン構造
１０ａ  押しボタン構造体
３１  プランジャ
３２  圧縮ばね
【図１】
0003805461.tif 000010
【図２】
0003805461.tif 000011
【図３】
0003805461.tif 000012
【図４】
0003805461.tif 000013
【図５】
0003805461.tif 000014
【図６】
0003805461.tif 000015
【図７】
0003805461.tif 000016